(57)【特許請求の範囲】
【請求項１】
光軸と交差する方向に備えられた第１面と、前記第１面と交差する方向に備えられた第２面とを有し、光を透過可能な光透過性部材と、
前記光透過性部材に備えられ、前記光透過性部材を振動させる振動部材と、
前記光透過性部材の前記第１面に対向して備えられた第１部材を封止するように前記光透過性部材に向けて突出し前記光透過性部材の前記第１面に接触する第１突起部と、
前記第１突起部と一体に形成され、前記第１突起部の突出した方向である突出方向に交差する方向に突出し前記光透過性部材の振動の節の近傍において前記光透過性部材の前記第２面に接触する第２突起部とを含み、
前記第２突起部と前記光透過性部材との接触圧力が、前記第１突起部と前記光透過性部材との接触圧力よりも大きいことを特徴とする光学部品。
【請求項２】
請求項１に記載された光学部品であって、
前記第１突起部と前記光透過性部材との接触面積が、前記第２突起部と前記光透過性部材との接触面積よりも大きい光学部品。
【請求項３】
光軸と交差する方向に備えられた第１面と、前記第１面と交差する方向に備えられた第２面とを有し、光を透過可能な光透過性部材と、
前記光透過性部材に備えられ、前記光透過性部材を振動させる振動部材と、
前記光透過性部材に向けて突出し前記光透過性部材の前記第１面に密着する第１突起部と、
互いに間隔を隔てて備えられ、前記第１突起部の突出した方向である突出方向に交差する方向に突出し前記光透過性部材の振動の節の近傍において前記光透過性部材の前記第２面に接触する複数の第２突起部とを含み、
前記第２突起部と前記光透過性部材との接触圧力が、前記第１突起部と前記光透過性部材との接触圧力よりも大きいことを特徴とする光学部品。
【請求項４】
請求項１から請求項３までの何れか１項に記載された光学部品であって、
前記第２突起部は、複数であり、互いに間隔を隔てて備えられている光学部品。
【請求項５】
請求項３又は請求項４に記載された光学部品であって、
前記第２突起部は、前記光透過性部材の振動の節が点在する方向に平行な方向に沿って、互いに間隔を隔てて備えられている光学部品。
【請求項６】
請求項１から請求項５までの何れか１項に記載された光学部品であって、
前記光透過性部材が矩形である光学部品。
【請求項７】
請求項１から請求項６までの何れか１項に記載された光学部品であって、
前記光透過性部材は、光が入射する入射面を有し、前記第１突起部は、前記入射面と交差する方向に突出している光学部品。
【請求項８】
請求項１から請求項７までの何れか１項に記載された光学部品であって、
前記第２突起部は、前記第１突起部の突出方向に直交する方向に突出している光学部品。
【請求項９】
請求項１から請求項８までの何れか１項に記載された光学部品であって、
前記第１突起部及び前記第２突起部が、弾性部材である光学部品。
【請求項１０】
請求項１から請求項９までの何れか１項に記載された光学部品であって、
前記光透過性部の外縁に沿って備えられ、前記第１突起部及び前記第２突起部を支持する枠体を有する光学部品。
【請求項１１】
請求項１から請求項１０までの何れか１項に記載された光学部品と、前記光透過性部材に対向して備えられた撮像素子とを含む光学機器。
【請求項１２】
請求項１１に記載された光学機器であって、
前記撮像素子は、前記光透過性部材と前記第１突起部とを用いて封止されている光学機器。
【発明の詳細な説明】
【技術分野】
【０００１】
本発明は、光学部品および光学機器に関する。
【背景技術】
【０００２】
近年、レンズ交換式デジタルカメラなどでは、撮像素子の光学ローパスフィルタ表面にゴミが付着し、撮影した映像にゴミが写りこむなどの問題がおこっている。このような問題を解消するために、防塵部材を、撮像素子と光学系との間に配置し、撮像素子の防塵を図ると共に、防塵部材に付着したゴミなどを振動により除去するシステムが開発されている（特許文献１参照）。
【０００３】
しかしながら、従来のシステムでは、防塵部材の封止を行うための封止部材と、防塵部材と撮像素子との位置決めを行うための位置決め部材とが別部材で構成してあり、封止と位置決めを同時に正確に行うことが困難であった。また、従来のシステムでは、位置決め部材が、防塵部材の振動を阻害するおそれもあった。
【特許文献１】特開２００３−３３８９６１号公報
【発明の開示】
【発明が解決しようとする課題】
【０００４】
本発明は、このような実状に鑑みてなされ、その目的は、塵埃などを有効に除去し得る光学部品と、その光学部品を有する光学機器とを提供することである。
【課題を解決するための手段】
【０００５】
上記目的を達成するために、本発明の第１の観点に係る光学部品は、
光を透過可能な光透過性部材（３０）と、
前記光透過性部材（３０）に備えられ、前記光透過性部材（３０）を振動させる振動部材（２０）と、
前記光透過性部材（３０）に対向して備えられた第１部材（１２）を封止するように前記光透過性部材（３０）に向けて突出し前記光透過性部材（３０）に接触する第１突起部（２４）と、
前記第１突起部（２４）と一体に形成され、前記第１突起部（２４）の突出した方向である突出方向（Ｚ方向）に交差する方向（Ｘ，Ｙ方向）に突出し前記光透過性部材（３０）に接触する第２突起部（２６）とを含む。
【０００６】
本発明の第１の観点に係る光学部品では、第１部材（１２）を封止する第１突起部（２４）と、光透過性部材（３０）に接触し光透過性部材（３０）を位置決め可能な第２突起部（２６）とが一体に形成してあるので、第１部材（１２）の封止および光透過性部材（３０）の位置決めを正確に行うことが可能である。また、振動部材（２０）により、光透過性部材（３０）を振動させることで、光透過性部材（３０）の表面に付着した塵埃などを有効に除去し得る。
【０００７】
前記第１突起部（２４）と前記光透過性部材（３０）との接触面積が、前記第２突起部（２６）と前記光透過性部材（３０）との接触面積よりも大きくてもよい。第１突起部（２４）は、封止機能を有し、第２突起部（２６）は、位置決め機能を有するすることから、第２突起部（２６）と光透過性部材（３０）との接触面積は、第１突起部（２４）と光透過性部材（３０）との接触面積よりも小さくて良い。なお、これらの接触面積は同じであっても良い。
【０００８】
前記第１突起部（２４）と前記光透過性部材（３０）との接触圧力が、前記第２突起部（２６）と前記光透過性部材（３０）との接触圧力よりも小さくてもよい。このように構成することで、前記光透過性部材（３０）の振動を妨げることなく、位置決めをより正確に行うことが可能となる。
【０００９】
本発明の第２の観点に係る光学部品は、
光を透過可能な光透過性部材（３０）と、
前記光透過性部材（３０）に備えられ、前記光透過性部材（３０）を振動させる振動部材（２０）と、
前記光透過性部材（３０）に向けて突出し前記光透過性部材（３０）に密着する第１突起部（２４）と、
互いに間隔を隔てて備えられ、前記第１突起部（２４）の突出した方向である突出方向に交差する方向に突出し前記光透過性部材（３０）に接触する複数の第２突起部（２６）とを含む。
【００１０】
本発明の第２の観点に係る光学部品では、封止機能を有する第１突起部（２４）と、位置決め機能を有する第２突起部（２６）とを有するので、封止および位置決めを正確に行うことが可能である。また、振動部材（２０）により、光透過性部材（３０）を振動させることで、光透過性部材（３０）の表面に付着した塵埃などを有効に除去し得る。
【００１１】
前記第２突起部（２６）は、複数であり、互いに間隔を隔てて備えられていてもよい。第２突起部（２６）は、位置決めの機能を有し、封止機能を有する必要はないため、周方向に断続的に形成してもよい。また、第２突起部（２６）を断続的に形成した方が、光透過性部材（３０）の振動の動きを邪魔することがなく、塵落とし機能が向上する。
【００１２】
前記第２突起部（２６）は、前記光透過性部材（３０）の振動の節に平行な方向に沿って、互いに間隔を隔てて備えられていてもよい。このような配置にすることで、光透過性部材（３０）の振動の動きを邪魔することがなく、塵落とし機能が向上する。
【００１３】
前記光透過性部材（３０）の形状は特に限定されないが、好ましくは矩形である。矩形である場合に、第２突起部（２６）による位置決め機能が向上すると共に、光透過性部材（３０）の良好な振動モードの曲げ振動が実現され、塵落とし機能が向上する。
【００１４】
前記光透過性部材（３０）は、光が入射する入射面を有し、前記第１突起部（２４）は、前記入射面と交差する方向に突出していてもよい。このように構成することで、第１突起部（２４）が封止機能を発揮しやすい。
【００１５】
前記第２突起部（２６）は、第１突起部（２４）の突出方向に直交する方向に突出していてもよい。このように構成することで、第２突起部（２６）が位置決め機能を発揮しやすい。
【００１６】
前記２突起部が、前記光透過性部材（３０）の振動の節（２２）の近傍に備えられていてもよい。このように構成することで、第２突起部（２６）が光透過性部材（３０）の振動の動きを邪魔することがなく、塵落とし機能が向上する。
【００１７】
前記第１突起部（２４）及び前記第２突起部（２６）が、弾性部材で構成してもよい。このような部材で構成することで、封止機能および位置決め機能を発揮しやすい。
【００１８】
前記光透過性部の外縁に沿って、前記第１突起部（２４）及び前記第２突起部（２６）を支持する枠体（１７）が設けられていてもよい。このような構成にすることで、第１突起部（２４）および第２突起部（２６）を一体化しやすい。
【００１９】
本発明に係る光学機器は、上述した光学部品と、前記光透過性部材（３０）に対向して備えられた撮像素子とを含む。前記撮像素子は、前記光透過性部材（３０）と前記第１突起部（２４）とを用いて封止されていることが好ましい。
【００２０】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００２１】
以下、本発明を、図面に示す実施形態に基づき説明する。
図１は本発明の一実施形態に係るカメラの全体ブロック図、
図２は図１に示す撮像装置の平面図、
図３（Ａ）は図２に示すIII−III線に沿う要部断面図、図３（Ｂ）は図３（Ａ）の変形例を示す要部断面図、
図４（Ａ）〜図４（Ｅ）は振動モードを示す概略図、
図５（Ａ）〜図５（Ｃ）は撮像装置におけるＬＰＦの変形例を示す要部断面図である。
【００２２】
まず、図１に基づき、本実施形態のカメラの全体構成について説明する。撮像素子ユニット４は、カメラボディ４０の内部に、光学レンズ群４８の光軸αに対して撮像素子ユニット４の光透過板３０が略垂直に交差するように配置される。光透過板３０については、後述する。
【００２３】
図１に示すように、カメラボディ４０には、レンズ鏡筒４２が着脱自在に装着される。なお、コンパクトカメラなどでは、レンズ鏡筒４２とカメラボディ４０とが一体であるカメラもあり、カメラの種類は特に限定されない。また、スチルカメラに限らず、ビデオカメラ、顕微鏡、携帯電話などの光学機器にも適用できる。以下の説明では、説明の容易化のために、レンズ鏡筒４２とカメラボディ４０とが着脱自在となる一眼レフカメラについて説明する。
【００２４】
カメラボディ４０の内部において、撮像素子ユニット４の光軸α方向の前方には、シャッタ部材４４が配置してある。シャッタ部材４４の光軸α方向の前方には、ミラー４６が配置してあり、その前方には、レンズ鏡筒４２に内蔵してある絞り部４７および光学レンズ群４８が配置してある。
【００２５】
カメラボディ４０には、ボディＣＰＵ５０が内蔵してあり、レンズ接点５４を介してレンズＣＰＵ５８に接続してある。レンズ接点５４は、カメラボディ４０に対してレンズ鏡筒４２を連結することで、ボディＣＰＵ５０と、レンズＣＰＵ５８とを電気的に接続するようになっている。ボディＣＰＵ５０には、電源５２が接続してある。電源５２は、カメラボディ４０に内蔵してある。
【００２６】
ボディＣＰＵ５０には、レリーズスイッチ５１、ストロボ５３、表示部５５、ジャイロセンサ７０、ＥＥＰＲＯＭ（メモリ）６０、防振スイッチ６２、防塵フィルタ駆動回路５６、画像処理コントローラ５９、ＡＦセンサ７２などが接続してある。画像コントローラ５９には、インターフェース回路５７を介して、撮像素子ユニット４の撮像素子１２（図２〜図３参照）が接続してあり、撮像素子１２にて撮像された画像の画像処理を制御可能になっている。撮像素子１２は、たとえばＣＣＤやＣＭＯＳ等の固体撮像素子で構成される。
【００２７】
ボディＣＰＵ５０は、レンズ鏡筒４２との通信機能と、カメラボディ４０の制御機能を有している。また、ボディＣＰＵ５０はＥＥＰＲＯＭ６０から入力された情報と、ジャイロセンサ７０からの出力を受けて算出したブレの角度、焦点距離情報、距離情報から、防振駆動部目標位置を算出し、像ぶれ補正制御を行う。なお、像ぶれ補正制御の詳細に関しては省略する。
【００２８】
表示部５５は、主として液晶表示装置などで構成され、出力結果やメニューなどを表示する。レリーズスイッチ５１は、シャッター駆動のタイミングを操作するスイッチであり、ボディＣＰＵ５０にスイッチの状態を出力し、半押し時にはＡＦ、ＡＥ、状況により防振駆動を行い、全押し時には、ミラーアップ、シャッター駆動等を行う。
【００２９】
ミラー４６は、構図決定の際にファインダーに像を映し出すためのもので、露光中は光路から退避する。ボディＣＰＵ５０からレリーズスイッチ５１の情報が入力され、全押し時にミラーアップ、露光終了後にミラーダウンを行う。不図示のミラー駆動部（例えばＤＣモータ）により駆動される。ミラー４６には、サブミラー４６ａが連結してある。
【００３０】
サブミラー４６ａは、ＡＦセンサに光を送るためのミラーであり、ミラーを通過した光束を反射してＡＦセンサに導く。このサブミラー４６ａは、露光中は光路から退避する。
【００３１】
シャッタ部材４４は、露光時間を制御する機構である。ボディＣＰＵ５０からレリーズスイッチ５１の情報が入力され、全押し時にシャッター駆動を行う。不図示のシャッター駆動部（例えばＤＣモータ）により駆動される。
【００３２】
ＡＦセンサ７２は、オートフォーカス（ＡＦ）を行うためのセンサである。このＡＦセンサとしては、通常ＣＣＤが用いられる。防振スイッチ６２は、防振ＯＮ、ＯＦＦの状態を撮像素子ユニットＣＰＵに出力する。ジャイロセンサ７０は、ボディに生じるブレの角速度を検出し、ボディＣＰＵ５０に出力する。ＥＥＰＲＯＭ６０は、ジャイロセンサのゲイン値、角度調整値などの情報を有し、ボディＣＰＵ５０に出力する。
【００３３】
防塵駆動フィルタ駆動回路５６は、後述する図２および図３に示す圧電素子２０に接続してあり、所定条件を満足する場合に、圧電素子２０を駆動し、図４（Ｂ）〜図４（Ｅ）に示すように、光透過性を有する光透過板３０を振動させ、光透過板３０の表面に付着している塵埃などを飛ばして除去する動作を行う。
【００３４】
たとえば圧電素子２０には、周期的な矩形波もしくはサイン波等の電圧を印加する。このように防塵フィルタ駆動回路５６を制御して圧電素子２０に周期的な電圧を印加することにより、光透過板３０が振動し、塵が光透過板３０の表面から受けた慣性力が塵の付着力を上回ると、塵は光透過板３０の表面から離れる。振動モードの詳細に関しては後述する。
【００３５】
本実施形態では、防塵駆動フィルタ駆動回路５６には、振動モード選択回路８０が接続してある。振動モード選択回路８０は、ボディＣＰＵ５０を通して、防塵駆動フィルタ駆動回路５６を制御する。振動モード選択回路８０による制御の詳細については、後述する。
【００３６】
図１に示すレンズ鏡筒４２には、焦点距離エンコーダ６６、距離エンコーダ６４、絞り部４７、絞り部４７を制御する駆動モータ６８、レンズＣＰＵ５８、ボディ部とのレンズ接点５４、及び、複数のレンズ群４８が具備してある。レンズ接点５４には、カメラボディ４０からレンズ駆動系電源を供給するための接点と、レンズＣＰＵ５８を駆動するためのＣＰＵ電源の接点とデジタル通信用の接点がある。
【００３７】
駆動系電源およびＣＰＵ電源はカメラボディ４０の電源５２から供給され、レンズＣＰＵ５８や駆動系の電源を供給している。デジタル通信用接点ではレンズＣＰＵ５８から出力された焦点距離、被写体距離、フォーカス位置情報等のデジタル情報をボディＣＰＵ５０に入力するための通信と、ボディＣＰＵ５０から出力されたフォーカス位置や絞り量等のデジタル情報をレンズＣＰＵ５８に入力するための通信を行う。ボディＣＰＵ５０からのフォーカス位置情報や絞り量情報を受けてレンズＣＰＵ５８がＡＦ、絞り制御を行う。
【００３８】
焦点距離エンコーダ６６は、ズームレンズ群の位置情報より焦点距離を換算する。すなわち、焦点距離エンコーダ６６は、焦点距離をエンコードし、レンズＣＰＵに出力する。
【００３９】
距離エンコーダ６４は、フォーカシングレンズ群の位置情報より被写体距離を換算する。すなわち、距離エンコーダ６４は、被写体距離をエンコードし、レンズＣＰＵに出力する。
【００４０】
レンズＣＰＵ５８は、カメラボディ４０との通信機能、レンズ群４８の制御機能を有している。レンズＣＰＵには、焦点距離、被写体距離等が入力され、レンズ接点を介してボディＣＰＵ５０に出力する。ボディＣＰＵ５０からレンズ接点５４を介して、レリーズ情報、ＡＦ情報が入力される。
【００４１】
図２および図３に示すように、本実施形態に係る撮像素子ユニット４は、基板１０を有し、基板１０の中央部上面には、光透過板３０に対向して撮像素子１２が固定してある。撮像素子１２の周囲には、枠体１７が配置してあり、基板１０の表面に、着脱自在に、あるいは着脱不可に固定してある。
【００４２】
枠体１７は、たとえば合成樹脂あるいはゴムなどの絶縁性弾性部材で構成される。本実施形態では、枠体１７は、図３（Ａ）に示すように、断面Ｌ字形状を有しており、底板部１７ａと、側板部１７ｂとを有し、これらは一体に成形してある。
【００４３】
底板部１７ａの下面は、接着剤あるいはビス止めなどの手段で基板１０の表面に固定され、その上面には、封止用突起部２４が一体に形成してある。封止用突起部２４は、光透過板３０の下面の所定領域２９に沿って連続して延びており、光透過板３０の下面に密着し、その内周部に位置する撮像素子１２の周囲空間に、ゴミなどが入り込むことを防止している。封止用突起部２４は、例えば、光軸α（Ｚ方向）と略平行に突出して、光透過板３０に密着していることが好ましい。所定領域２９は撮像素子１２の撮像面よりも大きいことが好ましい。
【００４４】
側板部１７ｂの内周面には、位置決め用突起部２６が、内周面に沿って所定間隔で複数形成してある。位置決め用突起部２６は、光透過板３０の側端面に圧接するように形成してある。位置決め用突起部２６は、圧電素子２０の長手方向（Ｘ軸）に沿って平行な光透過板３０の両側端面に対応する位置で、合計で少なくとも３カ所に形成することが好ましい。少なくとも３カ所に位置決め用突起２６を形成することで、Ｘ軸に垂直なＹ軸方向の位置決めが成されると共に、回転方向の位置決めが成される。
【００４５】
図２に示す実施形態では、Ｘ軸に沿って平行な光透過板３０の両側端面に対応する位置で、それぞれ二つ、Ｙ軸に沿って平行な光透過板３０の両側端面に対応する位置で、それぞれ二つ、合計で８カ所に形成してある。なお、Ｘ軸は矩形状の光透過板３０の短辺に平行であり、Ｙ軸は長辺に平行であり、Ｚ軸は、光透過板３０の表面に垂直な方向であり、図１に示す光軸αと平行である。
【００４６】
Ｙ軸に沿って片側で二カ所形成してある位置決め用突起部２６は、図４に示す複数の振動モードの内で最も良く使用する振動モードの節２２の位置近傍に対応して設けられることが好ましい。位置決め用突起部２６の突起高さ（Ｘ軸方向またはＹ軸方向）は、封止用突起部２４の突起高さ（Ｚ軸方向）と同程度であることが好ましく、好ましくは０．１〜１ｍｍである。
【００４７】
位置決め用突起部２６は、周方向に連続して形成してある封止用突起部２４とは異なり、周方向に所定間隔で断続的に形成してあり、位置決め用突起部２６と光透過板３０の側端部との接触面積は、封止用凸部２４と光透過板３０の背面との接触面積よりも小さい。なお、位置決め用突起部２６と光透過板３０の側端部との接触圧力は、封止用凸部２４と光透過板３０の背面との接触圧力よりも大きいか、又は同程度であることが好ましい。例えば、位置決め用突起部２６は、封止用突起部２４の突出方向（Ｚ方向）と略直交する方向（Ｘ，Ｙ方向）に突出することが好ましい。封止用突起部２４の突出方向と位置決め用突起部２６の突出方向とが直交していれば光透過板３０をより安定的に位置決めできるからである。
【００４８】
枠体１７から光透過板３０がＺ軸方向の上部に外れることを防止するために、枠体１７の外側で、基板１０の上には、取付具１９を取り付けるためのブロック２１がＹ軸方向の両側でＸ軸方向の中央部に固定してある。ブロック２１の上には、取付具１９がビス止めにより着脱自在に固定してあるが、光透過板３０を枠体１７に取り付けた後には、ブロック２１の上に接着剤で取付具１９を固定しても良い。取付具１９は、バネ特性を有する金属板で構成されることが好ましく、光透過板３０の表面を封止用突起部２４の方向に押圧可能になっている。
【００４９】
なお、図２および図３（Ａ）に示す取付具１９およびブロック２１を用いることなく、図３（Ｂ）に示すように、取付具１７ｃを、枠体１７と一体に成形しても良い。この一体に成形された取付具１７ｃの光透過板３０との対向面には、押圧用突起部２８が形成してあることが好ましい。この押圧用突起部２８は、封止用突起部２４とは異なり、周方向に沿って連続して形成する必要なく、断続的に形成して良い。また、取付具１７ｃ自体も、周方向に沿って連続して形成する必要なく、断続的に形成して良い。
【００５０】
図５（Ａ）に示すように、光透過板３０は、この実施形態では、複数の光学板の積層構造であり、水晶板１３と、赤外線吸収ガラス板１４と、水晶波長板（λ／４波長板）１５と、水晶板１６との光透過板で構成してあり、ローパスフィルタ（ＬＰＦ）を構成している。積層方法としては、接着剤による積層、あるいはその他の積層方法でも良い。
【００５１】
この実施形態では、図５（Ａ）に示すように、光透過板３０のうち、水晶板１３と、赤外線吸収ガラス板１４と、水晶波長板（λ／４波長板）１５と、水晶板１６とは、全て同じ大きさであるが、図５（Ｂ）に示すように、水晶板１６のみを、Ｙ軸方向の両側にはみ出すような大きさにしても良い。Ｙ軸方向の両側にはみ出している水晶板１６の表面に圧電素子２０をそれぞれ固定しても良い。あるいは、図５（Ｃ）に示すように、光透過板３０としては、単一の水晶板１６で構成し、ＬＰＦを構成するその他の光学基板１３〜１５は、水晶板１６とは光軸方向（Ｚ軸方向）に分離して配置しても良い。
【００５２】
水晶波長板１５は、直線偏光を円偏向に変えることができる光学板であり、赤外線吸収ガラス板１４は、赤外線を吸収する機能を有する。また、水晶板１３は、水晶板１６に対して、相互に複屈折の方向が９０度異なる水晶板であり、一方が９０度方向（短辺方向）の複屈折を有する水晶板であれば、他方の水晶板は、０度方向（長辺方向）の複屈折を有する水晶板である。本実施形態では、水晶板１６が０°方向（長辺方向）の複屈折を有する水晶板であり、水晶板１３が９０°方向（短辺方向）の複屈折を有する水晶板であるが、逆でも良い。
【００５３】
本実施形態では、光透過板３０の内の二つの水晶板１３および１８により、基本的には、光学ローパスフィルタ（ＯＬＰＦ）を構成している。なお、一般的には、光学ローパスフィルタは、二つの水晶板１３および１８の間に、赤外線吸収ガラス１４および水晶波長板１５が積層されて光学ローパスフィルタ（ＯＬＰＦ）を構成している。
【００５４】
次に、圧電素子２０による光透過板３０の振動モードについて説明する。本実施形態では、図１に示す振動モード選択回路８０から防塵フィルタ駆動回路５６に信号を送り、たとえば図４（Ａ）に示す一方の圧電素子２０を、駆動信号Ｒ１で駆動し、他方の圧電素子２０を駆動信号Ｒ２で駆動する。
【００５５】
駆動信号Ｒ１と駆動信号Ｒ２とが相互に逆位相の駆動信号である場合には、図４（Ｂ）および図４（Ｃ）に示すように、一対の圧電素子２０は相互に逆パターンで収縮および拡張を繰り返し、光透過板３０は、光透過板３０の長手方向Ｌに沿って６次曲げ振動モードで振動する。６次曲げ振動モードは、偶数振動モードの一種であり、振動の腹の数が６個となる屈曲振動モードである。
【００５６】
６次曲げ振動モードの節２２は、光透過板３０の長手方向（Ｙ軸方向）に沿って７つであり、それらの節２２の位置は、図４（Ｂ）および図４（Ｃ）に示すように、振動モードが変化しない場合には、変化しない。
【００５７】
また、振動モードを変える場合には、図１に示す振動モード選択回路８０から防塵フィルタ駆動回路５６に信号を送り、振動モードを変化させる。たとえば  駆動信号Ｒ１と駆動信号Ｒ２とを相互に同一位相の駆動信号とし、これらを一対の圧電素子２０に印加する。
【００５８】
その場合には、図４（Ｄ）および図４（Ｅ）に示すように、一対の圧電素子２０は同時に同じパターンで収縮および拡張を繰り返し、光透過板３０を、光透過板３０の長手方向Ｌに沿って７次曲げ振動モードで振動させることができる。７次曲げ振動モードは、奇数振動モードの一種であり、振動の腹の数が７個となる屈曲振動モードである。
【００５９】
７次曲げ振動モードの節２２は、光透過板３０の長手方向Ｌに沿って８つであり、それらの節２２の位置は、図４（Ｄ）および図４（Ｅ）に示すように、振動モードが変化しない場合には、変化しない。
【００６０】
図４（Ｂ）〜図４（Ｅ）に示すように、振動モードを変化させることで、光透過板３０における節２２の位置を変化させることができる。その結果、ある特定の振動モードでは、光透過板３０の表面において、節２２の位置に吹き飛ばされずに残っていた塵埃などが、他の振動モードでは、節２２の位置が変化することから振動の加速度で吹き飛ばされることになる。そのため、光透過板３０の外面全域に渡りゴミ除去が可能になる。
【００６１】
たとえば図４（Ｂ）および図４（Ｃ）に示すような偶数次の曲げ振動モードでは、Ｙ軸方向の中央が振動の節となるので、その中央付近の塵埃を吹き飛ばす加速度が小さくなるおそれがある。一方、図４（Ｄ）および図４（Ｅ）に示すような奇数次の曲げ振動モードでは、Ｙ軸方向の中央が振動の腹になるので、その中央付近の塵埃を吹き飛ばす加速度が非常に大きくなる。したがって、偶数次の曲げ振動モードと奇数次の曲げ振動モードとを切り替えることにより、塵埃を有効に除去することができる。
【００６２】
なお、互いに振動モード数が近い偶数次の曲げ振動モードと奇数次の曲げ振動モードとを切り替えることも好ましい。たとえば図示の実施形態では、振動モード数が近い６次と７次の曲げ振動モードを切り替えているので、長手方向Ｌの中央部分以外の部分についても、一方のモードで振動の節となる部分が他方のモードで振動の腹となり、塵埃を有効に除去することができる。
【００６３】
本実施形態に係る撮像素子ユニット４では、光透過板３０を圧電素子２０により振動させるために、光透過板３０の表面に付着した塵埃などを有効に除去し得る。また、光透過板３０を、光学ローパスフィルタなどとして用いることができ、別途、光学ローパスフィルタを設ける必要が無くなる。その結果、光透過板３０と撮像素子１２との間には、単一の隙間が形成され、その気密構造も単純になり、塵埃などが内部に入り込むおそれが少なる。また、撮像素子ユニット４のサイズの小型化が可能になる。
【００６４】
さらに、本実施形態では、封止用突起部２４と、位置決め用突起部２６とが枠体１７に一体に形成してあるので、封止および位置決めを正確に行うことが可能である。
【００６５】
また、本実施形態では、光透過板３０が長方形であり、撮像素子１２の撮像面が長方形であるため、円形ガラスを振動させる場合と比べて、防塵のために水晶板が占めるスペースが少なくて済み、装置のコンパクト化に寄与する。
【００６６】
さらに本実施形態では、水晶板の表面弾性波による振動（駆動周波数が数ＭＨｚ）ではなく、光透過板３０の曲げ振動（駆動周波数が数十ｋＨｚ〜数百ｋＨｚ）を用いて、振動加速度による塵埃などの除去機能を発揮しているため、防塵効果に優れている。
【００６７】
さらに上述した実施形態では、６次曲げ振動モードと７次曲げ振動モードとで切り替えて光透過板３０を振動させたが、曲げ振動モードとしては、これらの数次に限定されず、その他の偶数振動モードと奇数振動モードとで切り替えて光透過板３０を振動させてもよい。ただし、振動モードとしては、好ましくは６〜１１次の振動モードである。
【００６８】
また、撮影装置の電源をオンにしてから撮影までの期間、および、撮影と撮影との間の期間の少なくとも一方において、偶数振動モードと奇数振動モードとの切替を少なくとも一回以上行うことが好ましい。
【００６９】
なお、本発明は、上述した実施形態に限定されるものではなく、本発明の範囲内で種々に改変することができる。
【００７０】
たとえば、上述した実施形態では、位置決め用突起部２６と光透過板３０の側端部との位置決め用接触圧力は、封止用凸部２４と光透過板３０の背面との封止用接触圧力と同程度であるが、封止用接触圧力は、位置決め用接触圧力よりも小さくしてもよい。
【００７１】
また、上述した実施形態では、封止用突起部２４と位置決め用突起部２６とが枠体１７に一体に成形してあり、同じ弾性部材で構成されるが、これらの突起２４および２６は、枠体１７とは別部材で構成しても良い。また、これらの突起２４および２６は、相互にヤング率が異なる材質で構成しても良い。
【００７２】
また、光透過板３０の積層構造としては、４層に限らず、２層以上でも良いし、単一層でもよい。さらに、光透過板３０は、光学ローパスフィルタに限らず、その他の光学的機能部材であっても良い。
【図面の簡単な説明】
【００７３】
【図１】図１は本発明の一実施形態に係るカメラの全体ブロック図である。
【図２】図２は図１に示す撮像装置の平面図である。
【図３】図３（Ａ）は図２に示すIII−III線に沿う要部断面図、図３（Ｂ）は図３（Ａ）の変形例を示す要部断面図である。
【図４】図４（Ａ）〜図４（Ｅ）は振動モードを示す概略図である。
【図５】図５（Ａ）〜図５（Ｃ）は撮像装置におけるＬＰＦの変形例を示す要部断面図である。
【符号の説明】
【００７４】
４…  撮像素子ユニット
１２…  撮像素子
１３…  水晶板
１４…  赤外線吸収ガラス板
１５…  水晶波長板
１６…  水晶板
１７…  枠体
１９…  取付具
２０…  圧電素子
２２…  振動の節
２４…  封止用突起部
２６…  位置決め用突起部
３０…  光透過板
５６…  防塵フィルタ駆動回路
８０…  振動モード選択回路
【図１】
0005169504.tif 000002
【図２】
0005169504.tif 000003
【図３】
0005169504.tif 000004
【図４】
0005169504.tif 000005
【図５】
0005169504.tif 000006